(57)【特許請求の範囲】
【請求項１】
いわゆるプッシュ−プル閉鎖装置及び膜突き刺し器（１）を持つ容器（３）用の容器閉鎖装置（２）であって、膜突き刺し器（１）が実質的に回転対称に構成され、かつ容器閉鎖装置（２）のプッシュ−プル部分とは無関係に回転対称軸線（Ｒ）の方向に軸線方向移動可能に容器閉鎖装置（２）へ差込み可能であり、
膜突き刺し器（１）が１片から成り、かつ同様に回転対称に構成されて操作端部（１３）と突き刺し端部（１４）との間に設けられかつ容器閉鎖装置（２）との密で係止可能な接触のために構成されている少なくとも１つの密封成形部（１６，１７，１８）を持ち、
容器閉鎖装置（２）が、容器開口に取付け可能な外筒部分（５）及び外筒部分（５）に移動可能に設けられる摺動部分（６）を持ち、外筒部分（５）に沿う摺動部分（６）の移動によって、飲み口（２０）が開放可能又は閉鎖可能であり、
外筒部分（５）に裂き開き又は突き通し可能な閉鎖膜（１１）が取付けられ、それにより容器内容物に対して密封して仕切られる付加空間（１２）が、摺動部分（６）に近い方にある外筒部分（５）の内部空間に形成され、
外筒部分（５）内に同様に閉鎖可能に膜突き刺し器（１）が設けられ、膜突き刺し器（１）の操作により閉鎖膜（１１）が裂き開き又は突き通し可能であり、それにより付加空間（１２）に入れられた物質が容器（３）内へ到達可能であり、
容器閉鎖装置の付加空間（１２）が、液状又は粉末状稠度の物質を貯蔵するため密に構成され、閉鎖膜（１１）が健全な状態において飲み口（２０）を通って容器内容物が流出するのを防止し、
膜突き刺し器（１）と摺動部分（６）が互いに無関係に外筒部分（５）に沿って移動可能であり、閉鎖膜（１１）が外筒部分（５）に固定的に結合され、
膜突き刺し器（１）が密に係止して外筒部分（５）へ差込み可能であり、膜突き刺し器（１）が操作端部（１３）と突き刺し端部（１４）を持ち、この突き刺端部（１４）が少し傾斜して突刺し器（１）に設けられる板（１５）を持っている、容器閉鎖装置。
【請求項２】
容器閉鎖装置（２）が、膜突き刺し器にある密封成形部（１６，１７，１８）を受入れるための係止手段を持つように構成されていることを特徴とする、請求項１に記載の容器閉鎖装置。
【請求項３】
係止手段が膜突き刺し器（１）に密に係止可能な接触のために構成され、密に係止可能な接触が、膜突き刺し器（１）の初期位置及び膜突き刺し器（１）の操作位置に設けられていることを特徴とする、請求項２に記載の容器閉鎖装置。
【請求項４】
係止手段が円形の溝、突起又は段部であることを特徴とする、請求項２又は３に記載の容器閉鎖装置。
【請求項５】
３つの円形密封成形部（１６，１７，１８）が存在することを特徴とする、先行する請求項の１つに記載の容器閉鎖装置。
【請求項６】
同じ円直径を持つ２つの円形密封成形部（１６，１７）が存在することを特徴とする、請求項１〜５の１つに記載の容器閉鎖装置。
【請求項７】
円形密封成形部（１６，１７，１８）が円板状であることを特徴とする、請求項１〜６の１つに記載の容器閉鎖装置。
【発明の詳細な説明】
【技術分野】
【０００１】いわゆるプッシュ−プル閉鎖装置及び膜突き刺し器を持つ容器用の容器閉鎖装置であって、膜突き刺し器が実質的に回転対称に構成され、かつ容器閉鎖装置のプッシュ−プル部分とは無関係に回転対称軸線の方向に軸線方向移動可能に容器閉鎖装置へ差込み可能であるものに関する。【０００２】  この種の膜突き刺し器は、液状又は粉末状稠度の物質を貯蔵するための付加空間を持つように構成されているプッシュ−プル形式の容器閉鎖装置に使用することができる。【０００３】  スポーツ飲料の分野において、もっと広い市場分野において、ビタミン等を添加された飲料を適当な容器で提供できるようにする要求が高まっている。これらの添加物を使用の直前に初めて混合する明らかな傾向も存在する。片手の操作が可能な飲料びんがしばしば好まれる。いわゆる“プッシュ−プル”閉鎖装置を持つ飲料びんがそれに適している。このような閉鎖装置は簡単に開くことができるだけでなく、使用後親指の圧力で再び閉鎖することができる。
【背景技術】
【０００４】  国際公開第２００６／０９９７６８号は、いわゆるプッシュ−プル閉鎖装置を持つ容器を示している。この容器閉鎖装置は、密封リップを持ちかつ容器開口の周りに取付け可能な外筒部分と、外筒部分に移動可能に設けられる（プッシュ−プル操作用）摺動部分を持ち、外筒部分に沿って摺動部分を移動させることによって流出開口が開放又は閉鎖可能である。密封リップに裂き開き又は突き通し可能な閉鎖膜が取付けられ、それにより容器内容物に対し密封して仕切られた付加空間が、摺動部分に近い方にある外筒部分の内部空間に形成される。外筒部分内に同様に移動可能に、（心棒と裂き開き又は突き破り装置から成る）膜突き刺し器が設けられ、膜突き刺し器の操作により閉鎖膜が裂き開き又は突き通し可能であり、それにより付加空間に入れることができる添加物が容器内へ達することができる。この膜突き刺し器の欠点は、それが２つの部分から構成され、それにより膜突き刺し器を備えた容器閉鎖装置の製造及び組立てが高価になることである。
【発明の概要】
【発明が解決しようとする課題】
【０００５】  従って本発明の課題は、改善されたプッシュ−プル形式の容器閉鎖装置及び改善された膜突き刺し器を提示することである。
【課題を解決するための手段】
【０００６】  この課題は請求項１の特徴によって解決される。【０００７】  この解決策によれば、膜突き刺し器が１片から成り、かつ同様に回転対称に構成されて操作端部と突き刺し端部との間に設けられかつ容器閉鎖装置との密で係止可能な接触のために構成されている少なくとも１つの密封成形部を持ち、
容器閉鎖装置が、容器開口に取付け可能な外筒部分及び外筒部分に移動可能に設けられる摺動部分を持ち、外筒部分に沿う摺動部分の移動によって、飲み口が開放可能又は閉鎖可能であり、
外筒部分に裂き開き又は突き通し可能な閉鎖膜が取付けられ、それにより容器内容物に対して密封して仕切られる付加空間が、摺動部分に近い方にある外筒部分の内部空間に形成され、
外筒部分内に同様に閉鎖可能に膜突き刺し器が設けられ、膜突き刺し器の操作により閉鎖膜が裂き開き又は突き通し可能であり、それにより付加空間に入れられた物質が容器内へ到達可能であり、
容器閉鎖装置の付加空間が、液状又は粉末状稠度の物質を貯蔵するため密に構成され、閉鎖膜が健全な状態において飲み口を通って容器内容物が流出するのを防止し、
膜突き刺し器と摺動部分が互いに無関係に外筒部分に沿って移動可能であり、閉鎖膜が外筒部分に固定的に結合され、
膜突き刺し器が操作端部と突き刺し端部を持ち、この突き刺し端部が少し傾斜して突き刺し器に設けられる板を持っている。【０００８】  いわゆるプッシュ−プル閉鎖装置及び本発明による膜突き刺し器を持り容器用の容器閉鎖装置では、膜突き刺し器は密に係止して外筒部分へ差込み可能である。【０００９】  従って最初にあげた国際公開第２００６／０９９７６号に記載されている従来技術による容器閉鎖装置の改良が問題である。【００１０】  本発明による膜突き刺し器の主要な利点は、それが１片であることにある。簡単な製造可能性のほかに、提案される解決策により、容器閉鎖装置の組立ての際膜突き刺し器を下から外筒部分へ押込みさえすればよく、そこで膜突き刺し器が係止される。それにより組立てが簡単になる。【００１１】  操作端部と突き刺し端部との間に設けられて容器閉鎖装置と密に係止可能な接触を行うように構成されている少なくとも１つの密封成形部は、容器閉鎖装置における膜突き刺し器の上述した係止位置ぎめを可能にする。【００１２】  一義的に密封作用を行う構造的特徴が密封成形部を意味する。これは、例えば使用される材料の本来の弾性及び剛性を利用して、密封個所における充分な相互当接を行う造形によって得られる。密封成形部という一般概念が選ばれた。なぜならば、当業者にとって周知のように、これらの特徴は、運動学的反転で、基本的にしばしば２つの相補的なやり方で実現可能だからである。従って適当に形成される円形の密封突起が、膜突き刺し器又は外筒部分に存在することができる。しかし密封作用は常に２つの部分（例えば密封突起と密封座）の共同作用を必要とするので、なるべく該当する個所における密封成形部が話題になる。【００１３】  材料節約のため、少なくとも１つの密封成形部は円板状に形成され、外筒部分内に膜突き刺し器を一層よく案内するため、２つのこのような円形密封成形部が同じ円直径を持っていてもよい。３つの円形状密封成形部が有利である。なぜならば、初期位置（膜突き刺し器がまだ操作されていない）において、外部に対して付加空間の良好な密封が可能だからである。その場合特に液状添加物が特によく保護される。【００１４】  膜突き刺し器にある実質的に少し傾斜した板も特に有利である。その場合板は簡単な幾何学的形状例えば四角形の形状を持つことができる。斜めに突出する稜により、閉鎖膜は確実に突き破られ、板の面は、膜にある突き破り穴が添加物を完全にかつ速やかに容器内へ到達させるような大きさになるのを保証する。【００１５】  本発明が実施例により以下に詳細に説明される。
【図面の簡単な説明】
【００１６】
【図１】  購入状態にあるプッシュ−プル容器閉鎖装置内の膜突き刺し器を断面図で示す。
【図２】  突き刺し状態にあるプッシュ−プル容器閉鎖装置内の膜突き刺し器を断面図で示す。
【図３】  飲む状態にあるプッシュ−プル容器閉鎖装置内の膜突き刺し器を断面図で示す。
【図４】  保護蓋を載せられた容器閉鎖装置の斜視図を示す。
【発明を実施するための形態】
【００１７】  図１は購入状態又は初期位置にあるプッシュ−プル容器閉鎖装置２内にある膜突き刺し器１を断面図で示す。この位置でプッシュ−プル容器閉鎖装置が閉鎖され、膜突き刺し器１はまだ動作していない。容器閉鎖装置２は容器３上に載置され、プッシュ−プル閉鎖装置は載置される保護蓋４により覆われている。
【００１８】  容器閉鎖装置２は外筒部分５を持ち、この外筒部分上に摺動部分６がはまって移動可能である。摺動部分６は本来のプッシュ−プル−閉鎖装置を形成し、即ち容器閉鎖装置２を閉鎖又は開放するため、一方の位置又は他方の位置へ押される（プッシュ）か又は引張られる（プル）。突出する隆起７のため、このような閉鎖装置は片手操作にも適している。容器閉鎖装置２は更に、中心の管状案内部８内に前述した膜突き刺し器１を持っている。材料を節約するため、また液体流出断面を不必要に小さくしないため、案内部８は、放射状に設けられる材料橋絡部９により、外筒部分５の他の部分に結合されている。この実施例では３つのこのような材料橋絡部９が設けられている。
【００１９】  外筒部分５は引下げられる唇片１０を持ち、この唇片に閉鎖膜１１が取付けられている。健全な状態で（かつ容器閉鎖装置２が容器３上に載置されている限り）、閉鎖膜１１が容器内容物の流出を防止する。閉鎖膜１１により、容器内容物に対して密に仕切られる付加空間１２も、摺動部分６に近い方にある外筒部分５の内部空間に形成される。唇片１０が下方へ大きく延ばされているほど、付加空間１２が大きいことは明らかである。
【００２０】  膜突き刺し器１は実質的に回転対称に構成され、前述したように軸線方向移動可能に容器閉鎖装置２の中心（従って回転対称軸線Ｒの方向）に設けられている。膜突き刺し器１の軸線方向移動は、容器閉鎖装置２のプッシュ−プル部分（従って摺動部分６）の位置に関係なく可能である。
【００２１】  膜突き刺し器１は操作端部１３と突き刺し端部１４を持っている。操作端部１３は円板状に形成されて、例えば片手の親指で快適な操作を容易にする。突き刺し端部１４は少し傾斜して設けられる板１５を持っている。その場合板１５は、例えば四角形の簡単な形状を持つことができる。この板１５の斜めに突出する下部稜により、膜突き刺し器１を下方へ押す際、閉鎖膜１１を確実に突き破ることができる。膜突き刺し器１は全体として、その軸線方向延長範囲にほぼ十字状の補強輪郭を持ち、それにより良好な強度で材料の節約が可能になる。
【００２２】  膜突き刺し器１は更に、操作端部１３と突き刺し端部１４との間に設けられる同じ円直径の第１及び第２の円板状密封成形部１６及び１７を持っている。第１及び第２の密封成形部１６，１７は案内部８内を摺動する。密封個所Ａ及びＢが密封成形部１６及び１７と案内部８との接触個所にある。終端円板１９は密封機能を持たず、視覚的美化のためにのみ役立つ（不使用状態における明らかな終端部）。
【００２３】  膜突き刺し器１は更に、同様に操作端部１３と突き刺し端部１４との間に設けられているが、密封成形部１６及び１７より下にある第３の円板状密封成形部１８を持っている。従って密封成形部１８と外筒部分５の流出管との接触個所に、別の密封個所Ｃがある。
【００２４】  ３つの密封成形部１６，１７，１８又はその少なくとも１つは更に、図１に示す位置において、膜突き刺し器１と外筒部分５の案内部との間に係止可能な接触が行われるように構成されている。これは例えば適当な寸法の係止溝によって行うことができる。従ってこの構造のため、膜突き刺し器１を下から外筒部分５へ導入し、若干の圧力で図示した位置に係止することができる。
【００２５】  付加空間１２に貯蔵される添加物特に液体は、従って流出を防止されている。密封個所Ａ，Ｂ，Ｃは、案内部８にある開口を通っても外部への流出を防止する。（健全な）閉鎖膜１１は内方への流出を防止する。従ってこの位置でプッシュ−プル閉鎖装置が開かれるとしても、容器３の内容物は付加空間１２の内容物と同様に流出を防止されている。
【００２６】  図２は、突き刺し状態又は操作位置にある図１のプッシュ−プル容器閉鎖装置２の膜突き刺し器１を断面図で示している。この位置でプッシュ−プル閉鎖装置はまだ閉鎖されているが、突き刺し器１が動作せしめられ、即ち押下げられ、それにより添加物の添加が行われている。
【００２７】  この位置へ達するために、操作端部１３を押すことにより、それがもはや突出しなくなるまで、膜突き刺し器１が押下げられる。この位置でも係止が行われており、それを例えば第１の密封成形部１６又は第２の密封成形部１７で行うことができる。裂け開かれた閉鎖膜１１はここには示されてない。
【００２８】  今や密封個所Ｄは第１の密封成形部１６と案内部８との接触個所にある。それにより案内部８による開口を通って容器から添付物を混合された内容物が流出するのを防止される。別の密封個所Ｅ及びＦが摺動部分６と外筒部分５との接触個所にある。それにより添加物と混合された容器の内容物が、まだ閉じられているプッシュ−プル閉鎖装置から流出するのを防止する。
【００２９】  図２に示す位置において、係止力に打勝って膜突き刺し器１を再び引出して、外筒部分５から完全に外すことも原理的に可能である。
【００３０】  図３は、飲む状態にある図１のプッシュ−プル容器閉鎖装置２内の膜突き刺し器１を示す。この位置でプッシュ−プル閉鎖装置が開かれ、膜突き刺し器１はまだ動作している。容器閉鎖装置２は飲む準備ができている。流出経路Ｇは方向矢印で示されている。
【００３１】  この位置へ達するために、摺動部分６が上方へ引張られる。それにより容器の内容物は、流出経路Ｇを経て飲み口２０を通って外方へ流出することができる。
【００３２】  最後に図４は、保護蓋４をはめられた図１の本発明による容器閉鎖装置２の斜視図を示す。
【００３３】  最初にあげた種類の容器閉鎖装置２の動作及び操作は最初に述べた従来技術（国際公開第２００６／０９９７６８号）に詳細に記載されているので、この刊行物も指摘される。
【図１】
0005542057.tif 000002
【図２】
0005542057.tif 000003
【図３】
0005542057.tif 000004
【図４】
0005542057.tif 000005